(57)【要約】【課題】取り外しを容易にし、耐アキシアル荷重能力を向上させた軸受を提供する。【解決手段】外径面に転動面を有する内輪と、内径面に転動面を有する外輪と、前記外輪の転動面と前記内輪の転動面間で回転転動する円筒状の転動体とを有しており、内輪と外輪とが前記転動体を介して同心円状に相対回転する。内輪の転動面の両端には、転動面より突出した大鍔及び小鍔が設けられ、前記大鍔または前記小鍔のいずれかに係合部が円周方向にわたって、軸受径方向外側へ向けて突出して設けられる。これにより、軸受は取外しが容易になり、耐アキシアル荷重能力を向上させることができる。【選択図】図１
2015102184.tif 000002
【特許請求の範囲】
【請求項１】
外径面に転動面を有する内輪と、内径面に転動面を有する外輪と、前記外輪の転動面と前記内輪の転動面間で回転転動する円筒状の転動体とを有しており、内輪と外輪とが前記転動体を介して同心円状に相対回転するとともに、前記外輪及び前記内輪の転動面は前記内輪及び前記外輪の回転中心軸に対して傾斜して設けられ、前記内輪の前記転動面の両端には、転動面より突出した大鍔、小鍔が設けられている円すいころ軸受において、前記大鍔または前記小鍔のいずれかに突出した係合部が軸受円周方向にわたって設けられていることを特徴とする円すいころ軸受。
【請求項２】
前記係合部の形状がテーパ形状であることを特徴とする請求項１に記載の円すいころ軸受。
【発明の詳細な説明】
【技術分野】
【０００１】
本発明は、円すいころ軸受に関する。
【背景技術】
【０００２】
円すいころ軸受は、外径面に転動面を有する内輪と、内径面に転動面を有する外輪と、前記外輪の転動面と前記内輪の転動面間で回転転動する円筒状の転動体とを有しており、内輪と外輪とが前記転動体を介して同心円状に相対回転している。前記外輪及び前記内輪の転動面は軸受回転中心軸に対して傾斜して設けられている。また、前記外輪または前記内輪の少なくとも一方の転動面両端には、転動面より突出した大鍔、小鍔が設けられており、転動体を案内している。この様な構成の円すいころ軸受を、軸受回転中心軸方向から軸やハウジングに圧入した際、過大な圧入力によって軸受予圧が規定値より大きくなる可能性があった。この様な状態であると大鍔、小鍔、転動面と転動体との摺動抵抗が大きくなり、軸受の回転抵抗となる虞があった。そこで、軸やハウジング等に組付けた軸受を一旦引抜いて、再度予圧調整をする必要があった。そこで例えば特許文献１では、軸受を軸受回転中心軸方向に引抜くための工具を嵌合させる溝と凸部よりなる係合部を軸受に隣接して一体的に形成して軸受の引き抜きを可能としている。
【先行技術文献】
【特許文献】
【０００３】
【特許文献１】特開２０１３−７９６８０
【発明の概要】
【発明が解決しようとする課題】
【０００４】
しかし、特許文献１のように軸受引き抜き用係合部に溝を形成しているため、溝周辺が薄肉形状となっていた。このために圧入、引き抜き力の応力が溝周辺に集中して、係合部が変形する可能性があった。そして係合部の変形した箇所が、軸受外周面または軸受内周面から突出するため、軸やハウジングへの軸受の再嵌合に際して、再組立性が悪化する可能性が懸念さていた。
【０００５】
本発明は、上述した課題に鑑みてなされたものであり、その目的は、軸又はハウジングから軸受の引き抜きを容易にし、引き抜き用係合部の変形を防止した円すいころ軸受を提供することにある。
【課題を解決するための手段】
【０００６】
そこで上記の課題を解決するために、外径面に転動面を有する内輪と、内径面に転動面を有する外輪と、前記外輪の転動面と前記内輪の転動面間で回転転動する円筒状の転動体とを有しており、内輪と外輪とが前記転動体を介して同心円状に相対回転するとともに、前記外輪及び前記内輪の転動面は前記内輪及び前記外輪の回転中心軸に対して傾斜して設けられ、前記内輪の前記転動面の両端には、転動面より突出した大鍔、小鍔が設けられている円すいころ軸受において、前記大鍔または前記小鍔のいずれかに突出した係合部が軸受円周方向にわたって設けられていることを特徴とする。
【０００７】
これにより、軸受の取り外しが容易となる。また、軸受のバックアップを大きく取ることができ、大鍔または小鍔の外径部に窪みをつくる必要がないため、大鍔の強度を維持でき、軸受の耐アキシアル荷重能力が高まる。
【０００８】
また、係合部を内輪の小鍔外径部に設けると、小鍔側から軸受全体を容易に取り外すことができる。
【０００９】
更に、係合部の形状はテーパ形状であっても良い。すなわち、係合部の転動体側側面部の形状を、径方向内側に近づくにつれて軸方向外側へ向かう斜面とすることで、取り外す際に嵌めこむ工具のかかりが良くなり、取外し力を向上できる。
【発明の効果】
【００１０】
本発明は、軸受内輪の外径部に軸受取り外し用の係合部を設けることによって、軸受の取り外しを容易にするだけでなく、係合部を突出した形状のみに形成することで、軸受の耐アキシアル荷重能力を向上させることができる。
【図面の簡単な説明】
【００１１】
【図１】図１は、実施形態１に係る軸受を示す断面図である。
【図２】図２は、実施形態２に係る軸受を示す断面図である。
【図３】図３は、実施形態３に係る軸受を示す断面図である。
【発明を実施するための形態】
【００１２】
以下に、図を参照しながら、本発明の実施形態を説明する。
【００１３】
（実施形態１）
図１に示すように、内輪２と、外輪３と、内輪２と外輪３の間に転動自在に設けられた転動体である円すいころ４とから成る軸受１において、内輪２の大鍔８に取り外し部５を形成している。取外し部５は、大鍔外径部８ａから径方向外側に向かって突出した係合部６を有する。この係合部６は、図示しない軸から軸受１を取り外す際に工具を引っ掛け、軸受１を軸から取り外しやすくするためのものである。
【００１４】
（実施形態２）
図２に示すように、実施形態１と比べて、取外し部５を内輪２の小鍔９に設けている点が異なっている。また、小鍔９の外径部９ａに係合部６を設けるため、実施形態１の内輪２よりも軸方向長さが長くなっており、外輪端部よりも軸方向外側へ延伸している。他は実施形態１と同様である。
【００１５】
（実施形態３）
図３に示すように、実施形態１と比べて、係合部６の形状が異なっている。軸受１を図示しない軸から取り外すのに用いる工具をより使用しやすくし、取外し力を大きくするために、係合部６の形状をテーパ形状としている。具体的には、係合部の転動体側側面部を、径方向内側に近づくにつれて軸方向外側へ向かう斜面形状としている。他は実施形態１と同様である。
【００１６】
上述した実施形態では、円すいころを転動体とする軸受を基に説明したが、転動体は玉や円筒ころでも良い。また、実施形態３に述べた係合部の形状はテーパ形状に限らない。
【００１７】
以上、本発明の構造について詳細に説明したが、本発明は、以上の例には限定されず、本発明の要旨を逸脱しない範囲において、各種の改良や変形を行なっても良いのはもちろんである。
【符号の説明】
【００１８】
１．軸受
２．内輪
３．外輪
４．ころ
５．取外し部
６．係合部
７．転動体側側面部
８．大鍔
８ａ．大鍔外径部
９．小鍔
９ａ．小鍔外径部
【図１】
2015102184.tif 000003
【図２】
2015102184.tif 000004
【図３】
2015102184.tif 000005